(57)【要約】【課題】記録媒体にアクセスする電子機器において誤操作による入力を防止する技術を提供する。【解決手段】第１操作部２０は入力を受けつける。制御部３８は、第１操作部２０による入力に応じた制御を実行する。収納部３０は、記録媒体２００を収納可能である。取得部３４は、収納部３０に記録媒体２００が収納されているか否かに関する収納情報を取得する。制御部３８は、取得部３４において取得した収納情報が収納を示す場合、第１操作部２０による入力を無効にする。【選択図】図２
2020102854.tif 000002
【特許請求の範囲】
【請求項１】
操作情報を受け付ける入力部と、
前記入力部による入力に応じた制御を実行する制御部と、
外部サーバまたは通信端末または記憶装置の少なくともいずれかが備える記憶部への書き込み処理または読み取り処理を行う通信部または入出力部と、
前記記憶部にアクセス可能であるか否かの接続情報を取得する取得部と、
を備え、
前記制御部は、前記取得部において取得した接続情報がアクセス可能を示す場合、前記入力部による前記記録媒体への、書き込み処理を開始する操作の入力を除く入力を無効にするか、または映像の書き込み処理に関する設定モードを選択する入力を無効にする、電子機器。
【請求項２】
操作情報を受け付ける入力部と、
前記入力部による入力に応じた制御を実行する制御部と、
外部サーバまたは通信端末または記憶装置の少なくともいずれかが備える記憶部への書き込み処理または読み取り処理を行う通信部または入出力部と、
を備える電子機器における操作方法であって、
前記記憶部にアクセス可能であるか否かの接続情報を取得する取得ステップと、
前記取得ステップにおいて取得した接続情報がアクセス可能を示す場合、前記入力部による前記記録媒体への、書き込み処理を開始する操作の入力を除く入力を無効にするか、または映像の書き込み処理に関する設定モードを選択する入力を無効にするステップと、
を備える、操作方法。
【請求項３】
操作情報を受け付ける入力部と、
前記入力部による入力に応じた制御を実行する制御部と、
外部サーバまたは通信端末または記憶装置の少なくともいずれかが備える記憶部への書き込み処理または読み取り処理を行う通信部または入出力部と、
を備える電子機器におけるプログラムであって、
前記記憶部にアクセス可能であるか否かの接続情報を取得する取得ステップと、
前記取得ステップにおいて取得した接続情報がアクセス可能を示す場合、前記入力部による前記記録媒体への、書き込み処理を開始する操作の入力を除く入力を無効にするか、または映像の書き込み処理に関する設定モードを選択する入力を無効にするステップと、
をコンピュータに実行させるプログラム。
【発明の詳細な説明】
【技術分野】
【０００１】
本発明は、操作技術に関し、特に記録媒体を使用する電子機器、操作方法、プログラムに関する。
【背景技術】
【０００２】
記録媒体にアクセスする装置を第三者に使用させたくない場合がある。そのために、記録媒体に記録されている情報の読み出しを開始してから所定時間経過後に、操作入力部による操作が無効にされる（例えば、特許文献１参照）。
【先行技術文献】
【特許文献】
【０００３】
【特許文献１】特開２０１２−１２８０５３号公報
【発明の概要】
【発明が解決しようとする課題】
【０００４】
ドライブレコーダのような電子機器においても、記録媒体へのアクセスがなされる。独立したトランクのない車両において、自車両の後方撮影用のドライブレコーダは一般的に荷物置き場に面したリアゲートガラスなどに設置される。荷物置き場における荷物の置き方によっては、電子機器の動作中に機器設定ボタンが荷物により押されてしまうことがあり、押されることによって電子機器が機器設定モードなどの記録モード以外の動作モードに移行してしまう場合がある。機器設定モードに移行すると録画が停止してしまう、録画に関する設定が変更され、希望通りの録画が行われない等の不具合が発生する。
【０００５】
本発明はこうした状況に鑑みてなされたものであり、その目的は、記録媒体にアクセスする電子機器において誤操作による入力を防止する技術を提供することである。
【課題を解決するための手段】
【０００６】
上記課題を解決するために、本発明のある態様の電子機器は、操作情報を受け付ける入力部と、入力部による入力に応じた制御を実行する制御部と、外部サーバまたは通信端末または記憶装置の少なくともいずれかが備える記憶部への書き込み処理または読み取り処理を行う通信部または入出力部と、記憶部にアクセス可能であるか否かの接続情報を取得する取得部と、を備える。制御部は、取得部において取得した接続情報がアクセス可能を示す場合、入力部による記録媒体への、書き込み処理を開始する操作の入力を除く入力を無効にするか、または映像の書き込み処理に関する設定モードを選択する入力を無効にする。
【０００７】
本発明の別の態様は、操作方法である。この方法は、操作情報を受け付ける入力部と、入力部による入力に応じた制御を実行する制御部と、外部サーバまたは通信端末または記憶装置の少なくともいずれかが備える記憶部への書き込み処理または読み取り処理を行う通信部または入出力部と、を備える電子機器における操作方法であって、記憶部にアクセス可能であるか否かの接続情報を取得する取得ステップと、取得ステップにおいて取得した接続情報がアクセス可能を示す場合、入力部による記録媒体への、書き込み処理を開始する操作の入力を除く入力を無効にするか、または映像の書き込み処理に関する設定モードを選択する入力を無効にするステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、記録媒体にアクセスする電子機器において誤操作による入力を防止できる。
【図面の簡単な説明】
【００１０】
【図１】実施例１に係る電子機器の外観を示す斜視図である。
【図２】図１の電子機器の構成を示す図である。
【図３】図１の電子機器による処理手順を示すフローチャートである。
【図４】実施例２に係る電子機器の構成を示す図である。
【図５】図４の電子機器による処理手順を示すフローチャートである。
【図６】実施例３に係る電子機器の構成を示す図である。
【図７】図６の電子機器による処理手順を示すフローチャートである。
【発明を実施するための形態】
【００１１】
（実施例１）
本発明を具体的に説明する前に、まず前提を説明する。実施例１は、記録媒体を収納可能であり、記録媒体にアクセス可能な電子機器に関する。電子機器の一例はドライブレコーダである。電子機器には、外部から押し下げ可能な操作部が備えられ、当該操作部が押し下げられると、電子機器は、例えば、機器設定モードに移行する。このような電子機器は、例えば、車両のリアゲートガラスなどを含むリアウインドウに取り付けられる。特に、車両が、ハッチバック車、ワゴン車のように、独立したトランクを有しない場合、電子機器は、車両内の荷物置き場に面したリアゲートガラスなどに設置される。そのため、荷物置き場に置かれた荷物が移動して電子機器と接触したり、リアゲートを閉める際に荷物置き場に置かれた荷物と電子機器が接触したりなどで電子機器の操作部を押し下げてしまう状況が発生しうる。電子機器が録画を実行している間に操作部が押し下げられると、電子機器が機器設定モードに移行して、録画が停止してしまう等の不具合が発生する。これを防止するために、本実施例に係る電子機器は、記録媒体を着脱可能に構成されており、記録媒体が収納されている場合に、操作部による入力を無効にする。一方、記録媒体が収納されていない場合に、電子機器は、操作部による入力を有効にする。
【００１２】
以下、本発明の実施例について、図面を参照しつつ説明する。実施例に示す具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、本発明に直接関係のない要素は図示を省略する。
【００１３】
図１は、電子機器１００の外観を示す斜視図である。電子機器１００は、筐体１０、支持部１４、取付部１６を含む。筐体１０は、収納蓋１２、第１操作部２０、第２操作部２２、第３操作部２４を含み、取付部１６は、取付面１８を含む。筐体１０は、箱形形状を有し、電子機器１００の回路を内蔵する。電子機器１００の横側の側面には、収納蓋１２が配置される。収納蓋１２は開閉可能であり、収納蓋１２を開けると、筐体１０の内部に記録媒体が挿入可能である。記録媒体の一例は、ＳＤ（Ｓｅｃｕｒｅ  Ｄｉｇｉｔａｌ）カードであるが、これに限定されない。記録媒体を筐体１０の挿入した後、収納蓋１２は閉じられる。
【００１４】
筐体１０の上面には、第１操作部２０が配置され、筐体１０の前面には、第２操作部２２、第３操作部２４が配置される。本実施例において前面とは、電子機器１００がリアゲートガラスに取り付けられて車両後方を撮影する場合、車両進行方向を示す。第１操作部２０、第２操作部２２、第３操作部２４は、いずれも押し下げ可能なボタンである。例えば、第１操作部２０を長押しすることによって筐体１０は機器設定モードに移行し、第２操作部２２を押し下げることによって静止画像が撮像され、第３操作部２４を押し下げることによって動画に音声が加えられたり、除去されたりする。第１操作部２０、第２操作部２２、第３操作部２４による入力に割り当てられた機能はこれらに限定されないが、第１操作部２０、第２操作部２２、第３操作部２４による入力に割り当てられた機能は互いに異なる。第２操作部２２および第３操作部２４が配置された前面の反対側となる後面には、撮像部のレンズ（図示せず）が配置される。また、第１操作部２０、第２操作部２２、第３操作部２４は、例えば抵抗膜式のタッチパネルやスライドスイッチ、回転ダイヤルなどであってもよく、入力操作が可能であれば形態を問わない。
【００１５】
筐体１０の上面には支持部１４が配置される。支持部１４は、円柱形状を有し、上下方向に延びる。支持部１４の上端には、取付部１６が接続される。取付部１６は、板形形状を有し、支持部１４に接続される面の反対側の面が取付面１８である。取付面１８は、例えば、車両のリアウインドウに取り付けられ、車両ごとに異なるリアウィンドウの傾斜角度に応じて設置角度が調整が可能である。リアウインドウへの取付には公知の技術が使用されればよいので、ここでは説明を省略する。その際、第２操作部２２および第３操作部２４を配置した前面が車両の前方に向けられ、撮像部のレンズを配置した後面が車両の後方に向けられる。このように、車両に取り付けられた取付部１６から下方に延びる支持部１４によって、筐体１０が支持される。
【００１６】
図２は、電子機器１００の構成を示す。電子機器１００は、第１操作部２０、第２操作部２２、第３操作部２４、収納部３０、スイッチ３２、取得部３４、撮像部３６、制御部３８、記憶部４０を含む。収納部３０は、図１の収納蓋１２を開けた位置に配置される。収納部３０は、記録媒体２００を収納可能である。収納部３０に記録媒体２００を収納することによって、電子機器１００は記録媒体２００にアクセスできる。収納部３０の内部にはスイッチ３２が配置されており、記録媒体２００が収納部３０に収納されると、スイッチ３２が押される。一方、記録媒体２００が収納部３０に収納されないと、スイッチ３２は押されない。このようにスイッチ３２は、収納部３０に記録媒体２００が収納されているか否かを検出する。スイッチ３２は、収納部３０に記録媒体２００が収納されているか否かに関する収納情報を取得部３４に出力する。取得部３４は収納情報をスイッチ３２から取得して、収納情報を制御部３８に出力する。スイッチ３２は、上述のように物理的な機械スイッチでもよく、記録媒体２００へのアクセスが可能か否かをソフトウエアで判定するものであってもよい。
【００１７】
撮像部３６は、車両の後方を向いた映像を撮像する。映像は、複数の静止画像が連続する動画像によって構成される。撮像部３６は、撮像した映像を制御部３８に出力する。ここで、映像、静止画像、動画像は、デジタルデータであってもよい。制御部３８は、取得部３４から取得した収納情報が収納を示す場合、撮像部３６から受けつけた映像を記録媒体２００に記録する。一方、制御部３８は、取得部３４から取得した収納情報が非収納を示す場合、撮像部３６から受けつけた映像を記録媒体２００に記録しなかったり、撮像部３６に撮像を実行させなかったりする。
【００１８】
第１操作部２０は、前述のごとく、電子機器１００を機器設定モードに移行させるためのボタンである。例えば、第１操作部２０による入力は、記録媒体２００への映像の書き込み処理に関する、映像の解像度やフレームレートなどの機器設定モードを選択する入力である。なお、第１操作部２０による入力は、機器設定モードの選択を選択する入力に限定されず、電子機器１００の設定に関する入力であってもよい。第１操作部２０は、入力を制御部３８に出力する。
【００１９】
制御部３８は、第１操作部２０による入力を受けつける。制御部３８は、取得部３４において取得した収納情報が非収納を示す場合、受けつけた入力に応じた制御を実行する。ここでは、機器設定モードに移行して、機器設定が可能にされる。機器設定の結果は記憶部４０に記憶される。一方、制御部３８は、取得部３４において取得した収納情報が収納を示す場合、受けつけた入力を無効にする。つまり、ここでは、機器設定モードに移行されず、機器設定が可能にされない。そのため、第１操作部２０による入力を制御部３８が受けつけても、記録媒体２００が収納部３０に収納されていれば、機器設定モードに移行せずに、撮像部３６において撮像された映像が記録媒体２００に記録され続ける。
【００２０】
第２操作部２２、第３操作部２４は、第１操作部２０とは異なった機能に対する入力を受けつけるためのボタンである。前述のごとく、これらの入力によって、例えば静止画像が撮像されるとともに、動画に音声が加えられたり、除去されたりする。そのため、第１操作部２０による入力は、記録媒体２００への書き込み処理を開始する操作の入力を除く入力であるといえる。第２操作部２２、第３操作部２４は、入力を制御部３８に出力する。制御部３８は、取得部３４において取得した収納情報が収納を示していても、非収納を示していても、第２操作部２２あるいは第３操作部２４による入力に応じた制御を実行する。または、制御部３８は、第２操作部２２による入力に応じた制御のみを実行し、第３操作部２４による入力を無効としてもよく、第３操作部２４による入力に応じた制御のみを実行してもよい。つまり、制御部３８は、収納情報に関係なく、第２操作部２２あるいは第３操作部２４による入力を有効にする。換言すると、制御部３８は、第１操作部２０とは別の第２操作部２２あるいは第３操作部２４による入力を受けつける。
【００２１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２２】
以上の構成による電子機器１００の動作を説明する。図３は、電子機器１００による処理手順を示すフローチャートである。制御部３８は、第１操作部２０による入力を受けつける（Ｓ１０）。収納部３０に記録媒体２００が収納されている場合（Ｓ１２のＹＥＳ）、制御部３８は入力を無効にする（Ｓ１４）。収納部３０に記録媒体２００が収納されていない場合（Ｓ１２のＮＯ）、制御部３８は入力に応じた制御する（Ｓ１６）。
【００２３】
本実施例によれば、収納部に記録媒体が収納されている場合に入力を無効にするので、誤操作による入力を防止できる。また、収納部に記録媒体が収納されていない場合に入力を有効にするので、入力に応じた制御を実行させることができる。また、入力は、電子機器の設定に関する入力であるので、収納部に記録媒体が収納されている場合に、機器設定モードへの移行を防止できる。また、入力は、記録媒体への書き込み処理を開始する操作の入力を除く入力であるので、収納部に記録媒体が収納されている場合であっても、記録媒体への書き込み処理を開始させることができる。また、入力は、記録媒体への映像の書き込み処理に関する設定モードを選択する入力であるので、収納部に記録媒体が収納されている場合に、書き込み処理に関する設定モードの選択を防止できる。また、収納部に記録媒体が収納されている場合に別の操作部による入力を有効にするので、別の入力を実行できる。
【００２４】
（実施例２）
次に、実施例２を説明する。実施例２は、実施例１と同様に、記録媒体を収納可能であり、記録媒体にアクセス可能な電子機器に関する。実施例１における電子機器は、記録媒体を着脱可能に構成されており、記録媒体が収納されている場合に、第１操作部による入力を無効にする。つまり、第１操作部による入力を有効にするためには、記憶媒体を非収納にしなくてはならない。一方、荷物置き場に置かれた荷物が移動しにくい状況においては、記録媒体が収納されていても、第１操作部による入力を有効にした方が操作性が向上する。実施例２に係る電子機器は、移動状態であるかあるいは停止状態であるかに関する移動情報を取得し、移動情報が停止状態を示していれば、記録媒体が収納されていても、第１操作部による入力を有効にする。停止状態では、荷物が移動しにくいからである。実施例２によれば、車両走行中の荷物等の移動による誤作動を防止することができる。実施例２に係る電子機器は、図１と同様のタイプである。ここでは、実施例１との差異を中心に説明する。
【００２５】
図４は、電子機器１００の構成を示す。電子機器１００は、図２の構成に加えて、移動検出部５０を含む。移動検出部５０は、電子機器１００を搭載した車両が移動しているかあるいは停止しているかを検出する。例えば、移動検出部５０は、ＧＮＳＳ（Ｇｌｏｂａｌ  Ｎａｖｉｇａｔｉｏｎ  Ｓａｔｅｌｌｉｔｅ  Ｓｙｓｔｅｍｓ）信号の受信機能を有し、車両の位置情報を検出し、位置情報の時間変化をもとに、車両の走行速度を導出する。移動検出部５０は、走行速度が移動判定用しきい値より大きければ、車両が移動していると判定し、走行速度が移動判定用しきい値以下であれば、車両が停止していると判定する。
【００２６】
また、移動検出部５０は、加速度センサを含み、加速度センサの検出結果をもとに、車両が移動しているかあるいは停止しているかを検出してもよい。さらに、移動検出部５０は、ＣＡＮ（Ｃｏｎｔｒｏｌｌｅｒ  Ａｒｅａ  Ｎｅｔｗｏｒｋ）に接続されており、ＣＡＮにより受信した車両の走行速度、ギア位置、エンジンのＯＮ／ＯＦＦ等に関する信号をもとに、車両が移動しているかあるいは停止しているかを検出してもよい。移動検出部５０は、車両あるいは電子機器１００が移動状態であるかあるいは停止状態であるかに関する移動情報を取得部３４に出力する。
【００２７】
取得部３４は移動情報を取得部３４から取得して、移動情報を制御部３８に出力する。制御部３８は、第１操作部２０による入力を受けつける。制御部３８は、取得部３４において取得した収納情報が非収納を示す場合、これまでと同様に、受けつけた入力に応じた制御を実行する。制御部３８は、取得部３４において取得した収納情報が収納を示し、かつ取得部３４において取得した移動情報が静止状態を示す場合、第１操作部２０による入力を有効にする。この場合、取得部３４において取得した収納情報が非収納を示す場合と同一の処理が実行される。一方、制御部３８は、取得部３４において取得した収納情報が収納を示し、かつ取得部３４において取得した移動情報が移動状態を示す場合、第１操作部２０による入力を無効にする。
【００２８】
以上の構成による電子機器１００の動作を説明する。図５は、電子機器１００による処理手順を示すフローチャートである。制御部３８は、第１操作部２０による入力を受けつける（Ｓ５０）。収納部３０に記録媒体２００が収納され（Ｓ５２のＹＥＳ）、かつ電子機器１００が走行状態である場合（Ｓ５４のＹＥＳ）、制御部３８は入力を無効にする（Ｓ５６）。収納部３０に記録媒体２００が収納されていない場合（Ｓ５２のＮＯ）、あるいは電子機器１００が走行状態でない場合（Ｓ５４のＮＯ）、制御部３８は入力に応じた制御をする（Ｓ５８）。
【００２９】
本実施例によれば、収納部に記録媒体が収納され、かつ移動状態である場合に、入力を無効にするので、誤操作による入力を防止できる。また、収納部に記録媒体が収納されている場合であっても、静止状態である場合に、入力を有効にするので、操作性を向上できる。
【００３０】
（実施例３）
次に、実施例３を説明する。実施例３は、これまでと同様に、記録媒体を収納可能であり、記録媒体にアクセス可能な電子機器に関する。実施例３は、実施例２よりも操作の精度をさらに向上することを目的とする。実施例３に係る電子機器は、電子機器が起動されてからの期間を計測する。電子機器は、移動情報が停止状態を示し、かつ起動されてからの期間が短ければ、記録媒体が収納されていても、第１操作部による入力を有効にする。起動されてからの期間が短い場合に設定がなされやすいからである。一方、起動されてからの期間が長くなると、走行していた車両が停止する場合も含まれ、車両が停止する際に荷物が移動して第１操作部を押し下げてしまうこともあり得るからである。実施例３によれば、走行中の車両が停止する際の荷物等の移動による誤作動を防止することができる。実施例３に係る電子機器は、図１と同様のタイプである。ここでは、これまでとの差異を中心に説明する。
【００３１】
図６は、電子機器１００の構成を示す。電子機器１００は、図４の構成に加えて、タイマ５２を含む。タイマ５２は、電子機器１００が起動してからの期間を計測する。計測可能な期間には上限値が定められており、タイマ５２は、上限値に達すると計測を終了してもよい。タイマ５２は、計測している期間を取得部３４に出力する。取得部３４は期間を取得部３４から取得して、期間を制御部３８に出力する。
【００３２】
制御部３８は、第１操作部２０による入力を受けつける。制御部３８は、取得部３４において取得した収納情報が非収納を示す場合、これまでと同様に、受けつけた入力に応じた制御を実行する。制御部３８は、取得部３４において取得した収納情報が収納を示し、かつ取得部３４において取得した移動情報が静止状態を示す場合、電子機器１００が起動してからの期間がしきい値以下であれば、第１操作部２０による入力を有効にする。この場合、取得部３４において取得した収納情報が非収納を示す場合と同一の処理が実行される。一方、制御部３８は、取得部３４において取得した収納情報が収納を示し、かつ取得部３４において取得した移動情報が静止状態を示す場合、電子機器１００が起動してからの期間がしきい値よりも長ければ、第１操作部２０による入力を無効にする。
【００３３】
以上の構成による電子機器１００の動作を説明する。図７は、電子機器１００による処理手順を示すフローチャートである。制御部３８は、第１操作部２０による入力を受けつける（Ｓ１００）。収納部３０に記録媒体２００が収納され（Ｓ１０２のＹＥＳ）、かつ電子機器１００が走行状態である場合（Ｓ１０４のＹＥＳ）、制御部３８は入力を無効にする（Ｓ１０８）。電子機器１００が走行状態でない場合（Ｓ１０４のＮＯ）、期間がしきい値以下でなければ（Ｓ１０６のＮＯ）、制御部３８は入力を無効にする（Ｓ１０８）。収納部３０に記録媒体２００が収納されていない場合（Ｓ１０２のＮＯ）、あるいは期間がしきい値より長い場合（Ｓ１０６のＹＥＳ）、制御部３８は入力に応じた制御する（Ｓ１１０）。
【００３４】
本実施例によれば、収納部に記録媒体が収納され、かつ静止状態である場合に、電子機器が起動してからの期間がしきい値以下であれば、入力を有効にするので、起動してから一定期間に、制御を入力できる。また、収納部に記録媒体が収納され、かつ静止状態である場合に、電子機器が起動してからの期間がしきい値よりも長ければ、入力を無効にするので、誤操作による入力を防止できる。
【００３５】
以上、実施例をもとに本発明を説明した。この実施例は例示であり、それらの各構成要素や各処理プロセスの組合せにいろいろな変形例が可能なこと、またそうした変形例も本発明の範囲にあることは当業者に理解されるところである。
【００３６】
実施例１乃至３において、第１操作部２０による入力は、機器設定モードの選択に関する入力である。しかしながらこれに限らず例えば、第１操作部２０による入力はこれ以外であってもよい。具体的には、記録媒体２００への書き込み処理を停止する入力であってもよい。本変形例によれば、構成の自由度を向上できる。
【００３７】
実施例１乃至３において、電子機器１００は記録媒体２００への書き込み処理を実行している。しかしながらこれに限らず例えば、電子機器１００は記録媒体２００からの読み取り処理を実行してもよい。本変形例によれば、構成の自由度を向上できる。
【００３８】
実施例１乃至３において、電子機器１００は車両に搭載されている。しかしながらこれに限らず例えば、電子機器１００は車両に搭載されていなくてもよい。デジタルカメラやディスク媒体の再生機器など、記録媒体にアクセスする電子機器に対し、第三者の操作を制限したい場合、本変形例によれば、構成の自由度を向上できる。
【００３９】
実施例１乃至３において、電子機器１００は記録媒体を収納可能な収納部を備えている。しかしながらこれに限らず例えば、電子機器１００は通信部または入出力部を備え、外部サーバまたは通信端末または記憶装置のいずれかが備える記憶部への書き込み処理または読み取り処理を実行してもよい。この形態の場合に制御部は、実施例１乃至３における記録媒体２００が収納されているか否かの収納情報に代わり、記憶部にアクセス可能であるか否かの接続情報に基づいて、操作部による入力を無効とするか有効とするかの制御を行う。本実施例本変形例によれば、構成の自由度を向上できる。
【００４０】
１０  筐体、  １２  収納蓋、  １４  支持部、  １６  取付部、  １８  取付面、  ２０  第１操作部、  ２２  第２操作部、  ２４  第３操作部、  ３０  収納部、  ３２  スイッチ、  ３４  取得部、  ３６  撮像部、  ３８  制御部、  ４０  記憶部、  １００  電子機器、  ２００  記録媒体。
【図１】
2020102854.tif 000003
【図２】
2020102854.tif 000004
【図３】
2020102854.tif 000005
【図４】
2020102854.tif 000006
【図５】
2020102854.tif 000007
【図６】
2020102854.tif 000008
【図７】
2020102854.tif 000009